(57)【特許請求の範囲】
【請求項１】
機構ベースとなるシャーシと、
該シャーシ上に支持され、光ピックアップを光ディスクの径方向に搬送案内する案内レールと、
該案内レールの端部近傍に形成した螺子受けと、
該螺子受けを頭部が係止する状態で挿通されると共に前記シャーシに螺入長調整自在に螺合され、前記頭部の高さ位置をもって前記案内レールの前記シャーシに対する高さを調整する取り付け螺子と、
前記螺子受けと前記シャーシとの間で前記取り付け螺子に螺合され、該螺子受け下面に当接するまで螺子込まれてレール高さを固定するレール高さ固定用歯車と、
前記螺子受けと前記シャーシとの間で前記取り付け螺子に螺合され、該シャーシ上面に当接するまで螺子込まれて前記取り付け螺子を前記シャーシに対して緩み止めする取り付け螺子固定用歯車と、
を具備することを特徴とする光ピックアップ送り機構。
【請求項２】
前記レール高さ固定用歯車と前記取り付け螺子固定用歯車は、外径が互いに異なっていることを特徴とする請求項１記載の光ピックアップ送り機構。
【請求項３】
請求項１または２記載の光ピックアップ送り機構における案内レール取り付け方法であって、
前記螺子受けに前記取り付け螺子を挿通し、
前記レール高さ固定用歯車と前記取り付け螺子固定用歯車とを、前記取り付け螺子の螺子山中程の適当な位置に螺合し、
前記螺子受けに前記取り付け螺子の前記頭部が当接するように前記案内レールを支持し、
前記取り付け螺子の下端部を前記シャーシに螺合して前記レール高さを調整し、
前記レール高さ調整後に前記取り付け螺子固定用歯車を前記シャーシの上面に締め付けて前記取り付け螺子を固定し、
前記レール高さ固定用歯車を前記螺子受けの下面に締め付けてレール高さを固定することを特徴とする光ピックアップ送り機構における案内レール取り付け方法。
【請求項４】
請求項１または２記載の光ピックアップ送り機構における案内レール取り付け治具であって、
前記取り付け螺子固定用歯車と噛合される歯車が軸部材に嵌合されてなり、前記シャーシ上面に当接するまで前記取り付け螺子固定用歯車を螺子込ませるように構成された取り付け螺子固定用治具と、
前記レール高さ固定用歯車と噛合される歯車が軸部材に嵌合されてなり、前記螺子受け下面に当接するまで前記レール高さ固定用歯車を螺子込ませるように構成されたレール高さ固定用治具と、
を備えてなることを特徴とする光ピックアップ送り機構における案内レール取り付け治具。
【発明の詳細な説明】
【０００１】
【発明の属する技術分野】
本発明は、光ピックアップを光ディスクの径方向に送り案内する案内レールの取り付け姿勢を正確かつ確実に調整できるようにした光ピックアップ送り機構、光ピックアップ送り機構における案内レール取り付け方法及びその案内レール取り付け治具に関する。
【０００２】
【従来の技術】
光デイスクを記録再生する光ディスクドライブ装置には、光ピックアップを光ディスクを内径側から外径側に径方向に沿って走査案内するための光ピックアップ送り機構が必要である。図１３，１４は、従来の光ピックアップ送り機構の一例を示す平面図及び底面図であり、この光ピックアップ送り機構１１に光ディスク１０を記録再生位置に装着するローディング機構や光ディスク１０の記録再生信号を処理する信号処理装置等を組み付けることで、光デイスクドライブ装置が完成する。
【０００３】
図中、機構ベースとなるシャーシ１には、光ディスク１０を載置クランプするターンテーブル２やクランプされた光ディスク１０を回転駆動するスピンドルモータ３等が組み付けられており、光ディスク１０から信号を読み取る光ピックアップ４は、左右一対の案内レール５上に光ディスク１０の径方向に移動自在に支持される。４ａは、光ピックアップ４を一方の案内レール５を摺動自在に支持する軸受である。案内レール５は、固定螺子６によりシャーシ１上に固定されており、歯車列７を介するモータ８の回転動力を受けて、光ピックアップ４は案内レール５上を移動する。すなわち、ローディング機構により装置内の記録再生位置に搬入された光ディスク１０は、ターンテーブル２上にクランプされ、この状態でスピンドルモータ３により回転駆動される。このとき、光ピックアップ４は、モータ８の回転動力を歯車列７を通して伝えられ、光デイスク１０の内径側から外径側まで任意の場所に送り案内され、送り位置において光ディスク１０の記録面から信号を読み取る。
【０００４】
従来の光ピックアップ送り機構１１は、シャーシ１上に正確に案内レール５を取り付けるため、図１５，１６に示したように、レール位置決め用ボス１２と螺子傾き防止用突部１３及びレールスライド防止用突部１４をシャーシ１の所定位置に突設してある。案内レール５の組み付けに際しては、まずレール端をレール位置決め用ボス１２に係止させ、かつレールスライド防止用突部１４の間に挟持させた状態で、案内レール５をシャーシ１上に載置する。次に、固定螺子６により案内レール５を締め付け、締め付け後に振動等で緩まないよう接着剤で固定螺子６を固定する。かくして、案内レール５はシャーシ１上に固定される。
【０００５】
上記従来の光ピックアップ送り機構は、案内レール５がシャーシ１上に直に載置固定されているため、シャーシ１の精度が悪い場合は案内レール５が傾いてしまうことがあり、光ピックアップを光デイスク１０の径方向に送り移動させたときに、光ディスク１０に対する光ピックアップ４の傾きが変化してしまうことがあるといった課題があった。また、固定螺子６を締め付ける際に、螺子傾き防止用突部１３の頂点と案内レール５との間に僅かでも段差があれば、固定螺子６を締め付ける力が案内レール５を曲げる力に変化してしまい、案内レール５を変形させてしまう結果、光ピックアップ移動時に無用の抵抗を与えることがあるといった課題があった。さらにまた、案内レール５はシャーシ１上に載置しただけであるために、案内レール５の高さを自由に変えることができないといった課題があった。
【０００６】
一方また、図１７，１８にそれぞれ底面図と側面図を示す従来の光ピックアップ送り機構２１のように、一端をシャーシ１上のレール押さえ部２２に支持した案内レール５の他端を、シャーシ１上に回動可能に配設されたチルト調整部材２３の傾斜周端面２３ａにて支持し、このチルト調整部材２３を回動させることにより、シャーシ１に対する案内レール５の高さを可変調整し、案内レール５全体の傾斜姿勢を可変調整できるようにした機構が知られている。このものは、シャーシ１に取り付けた捩りばね２４が案内レール５を常時チルト調整部材２３の傾斜周端面２３ａに押圧するよう付勢する構成としてある。
【０００７】
シャーシ１に対する案内レール５の基準高さは、一対の案内レール５のうちの一方の案内レール５のレール端を押さえる押さえ部２２によって決定される。すなわち、残り３箇所のレール端に係止するチルト調整部材２３を回動させることにより、捩りばね２４によって傾斜周端面２３ａに付勢されている案内レール５は、レール端取り付け高さを３箇所、すなわち左右一対の案内レール５のうちの一方の案内レール５の一端部と他方の案内レール５の両端部の計３箇所で個別に可変することができる。光ヘッド内に組み込まれた光ピックアップ４は、一対の軸受４ａが案内レール５を摺動自在に保持しているため、３箇所のレール端の高さを調整することは、光ディスク１０に対し光ピックアップ４をチルト調整することを意味する。
【０００８】
【発明が解決しようとする課題】
上記従来の光ピックアップ送り機構２１は、案内レール５がシャーシ１に取り付けられた捩りばね２４によってチルト調整部材２３の傾斜周端面２３ａに常時付勢されているため、シャーシ１に対する案内レール５の取り付け高さによって捩りばね２４の荷重が変化してしまい、捩りばね２４の荷重設定が容易でないといった課題があった。また、案内レール５を支持するチルト調整部材２３の傾斜周端面２３ａの支点と、案内レール５を傾斜周端面２３ａに押圧する捩りばね２４の荷重点がレール軸方向で異なるために、支点と荷重点のずれに応じた回転モーメントが案内レール５に作用し、案内レール５を変形させやすいといった課題があった。
【０００９】
本発明は、上記課題を解決したものであり、光ピックアップ送り用の案内レールを簡単かつ精度よく高さ調整でき、光ピックアップを円滑に送り案内できるようにし、さらにまた案内レールに対する支点と荷重点をレール軸上の同一点とすることにより、案内レールに回転モーメントを発生させず、レール真直度を損なうことなく、チルト調整できるようにすることを目的とするものである。
【００１０】
上記課題を達成するために、本発明にかかる光ピックアップ送り機構、光ピックアップ送り機構における案内レール取り付け方法及びその案内レール取り付け治具は、下記の技術的手段を講じた。
すなわち、請求項１にかかる光ピックアップ送り機構は、機構ベースとなるシャーシと、該シャーシ上に支持され、光ピックアップを光ディスクの径方向に搬送案内する案内レールと、該案内レールの端部近傍に形成した螺子受けと、該螺子受けを頭部が係止する状態で挿通されると共に前記シャーシに螺入長調整自在に螺合され、前記頭部の高さ位置をもって前記案内レールの前記シャーシに対する高さを調整する取り付け螺子と、前記螺子受けと前記シャーシとの間で前記取り付け螺子に螺合され、該螺子受け下面に当接するまで螺子込まれてレール高さを固定するレール高さ固定用歯車と、前記螺子受けと前記シャーシとの間で前記取り付け螺子に螺合され、該シャーシ上面に当接するまで螺子込まれて前記取り付け螺子を前記シャーシに対して緩み止めする取り付け螺子固定用歯車と、を具備することを特徴とする。
請求項２にかかる光ピックアップ送り機構は、請求項１において、前記レール高さ固定用歯車と前記取り付け螺子固定用歯車は、外径が互いに異なっていることを特徴とする。
請求項３にかかる光ピックアップ送り機構における案内レール取り付け方法は、請求項１または２記載の光ピックアップ送り機構における案内レール取り付け方法であって、前記螺子受けに前記取り付け螺子を挿通し、前記レール高さ固定用歯車と前記取り付け螺子固定用歯車とを、前記取り付け螺子の螺子山中程の適当な位置に螺合し、前記螺子受けに前記取り付け螺子の前記頭部が当接するように前記案内レールを支持し、前記取り付け螺子の下端部を前記シャーシに螺合して前記レール高さを調整し、前記レール高さ調整後に前記取り付け螺子固定用歯車を前記シャーシの上面に締め付けて前記取り付け螺子を固定し、前記レール高さ固定用歯車を前記螺子受けの下面に締め付けてレール高さを固定することを特徴とする。
請求項４にかかる光ピックアップ送り機構における案内レール取り付け治具は、請求項１または２記載の光ピックアップ送り機構における案内レール取り付け治具であって、前記取り付け螺子固定用歯車と噛合される歯車が軸部材に嵌合されてなり、前記シャーシ上面に当接するまで前記取り付け螺子固定用歯車を螺子込ませるように構成された取り付け螺子固定用治具と、前記レール高さ固定用歯車と噛合される歯車が軸部材に嵌合されてなり、前記螺子受け下面に当接するまで前記レール高さ固定用歯車を螺子込ませるように構成されたレール高さ固定用治具と、を備えてなることを特徴とする。
【００１１】
【発明の実施の形態】
以下、本発明の実施形態を図１ないし図１２を参照して説明する。図１は、本発明の光ピックアップ送り機構の一実施形態を示す要部拡大平面図、図２は、図１に示した案内レール支持部分の縦断面図、図３は、図１に示した案内レール支持部分の側面図、図４は、図３に示した案内レール支持部分を分解して示す側面図、図５は、図４に示した歯車の平面図及び断面図、図６は、図４に示した歯車の平面図及び断面図、図７は、図４に示した案内レールの平面図及び断面図、図８は、図４に示したシャーシ部分の平面図及び断面図、図９は、レール支持用治具の側面図及び縦断面図、図１０は、レール高さ固定用治具の横断面図及び縦断面図、図１１は、取り付け螺子固定用治具の横断面図及び縦断面図、図１２は、案内レール支持部分の組立工程を示す工程図である。
【００１２】
図１に示す光ピックアップ送り機構３１は、機構ベースとなるシャーシ１と、シャーシ１上に支持され、光ピックアップ４を光ディスク１０の径方向に搬送案内する案内レール５と、案内レール５の端部近傍に一体成型により形成した螺子受け３２と、螺子受け３２を頭部３３ａが係止する状態で挿通し、シャーシ１の螺子孔１ａに螺入長調整自在に螺合され、頭部３３ａ下面の高さ位置をもって案内レール５のシャーシ１に対する高さを調整する取り付け螺子３３等から構成される。螺子受け３２とシャーシ１との間には、レール高さ固定用歯車３４と取り付け螺子固定用歯車３５が螺合させてある。レール高さ固定用歯車３４は、取り付け螺子３３に螺合し、専用治具に噛合させて螺子受け３２の下面に当接するまで螺子込み、レール高さを固定する働きをする。取り付け螺子固定用歯車３５は、螺子受け３２とシャーシ１との間で取り付け螺子３３に螺合し、専用治具に噛合させてシャーシ１上面に当接するまで螺子込み、取り付け螺子３３をシャーシ１に対して緩み止めする働きをする。
【００１３】
レール高さ固定用歯車３４は、図５（Ａ），（Ｂ）に示したように、外周部分に専用治具に噛合する歯３４ａが形成され、また中央部には取り付け螺子３３に螺合する螺子が刻設された螺子孔３４ｂを有する。また、取り付け螺子固定用歯車３５は、レール高さ固定用歯車３４よりも大きな外径を有しており、図６（Ａ），（Ｂ）に示したように、外周部分に専用治具に噛合する歯３５ａが形成され、また中央部には取り付け螺子３３に螺合する螺子が刻設された螺子孔３５ｂを有する。案内レール５の端部に一体形成した螺子受け３２は、図７（Ａ），（Ｂ）に示したように、取り付け螺子３３の頭部３３ａ下面を係止する係止面が若干の段差をもって皿状に穿設されており、この皿状係止面に開口する螺子挿通孔３２ａを取り付け螺子３３が挿通するようになっている。さらに、シャーシ１の案内レール支持部分には、図８に示したように、案内レール５の横方向移動を阻止するためのレールスライド防止用突部３６が突設してあり、またこのレールスライド防止用突部３５の近傍には、後述する取り付け螺子固定用治具３７或いはレール高さ固定用治具３８の各先端突起３７ａ，３８ａを差し込むための係合孔３９が穿設してある。
【００１４】
図９に示す４０は、レール支持用治具であり、レール高さ調整時に案内レール５を下から支持して押し上げる凹み付き頭部４０ａを有する。取り付け螺子固定用治具３７は、図１１に示したように、取り付け螺子固定用歯車３５に噛合する歯車３７ｂが軸部材３７ｃに嵌合させてあり、軸部材３７ｃの先端にシャーシ１の係合孔３９に差し込むための突起３７ａが突設してある。さらに、レール高さ固定用治具３８は、図１０に示したように、レール高さ固定用歯車３４に噛合する歯車３８ｂが軸部材３８ｃに嵌合させてあり、軸部材３８ｃの先端にシャーシ１の係合孔３９に差し込むための突起３８ａが突設してある。
【００１５】
ここで、上記光ピックアップ送り機構３１の案内レール５のレール端をシャーシ１に組み付ける場合、まず図１２（Ａ）に示すように、螺子受け３２を一体成型した案内レール５の螺子受けに取り付け螺子３３を挿通させる。この場合、レール高さ固定用歯車３４と取り付け螺子固定用歯車３５は、取り付け螺子３３の螺子山中程の適当な位置に取り付け、両歯車３４，３５は上下方向に自由に動けるようにしておく。次に、図１２（Ｂ）に示したように、案内レール５をシャーシ１のレールスライド防止用突部３６の間に挿入して取り付ける。さらに、レール支持用治具４０の凹み部分にて案内レール５を下から支持し、取り付け螺子３３の下端部をシャーシ１の螺子孔１ａに螺合させ、上から締め付けながらレール高さを調整する。レール高さが調整されたならば、図１２（Ｃ）に示したように、取り付け螺子固定用治具３５の先端の突起３５ａをシャーシ１の係合孔３９に差し込み、取り付け螺子固定用治具３７の歯車３７ｂと取り付け螺子固定用歯車３５を互いに噛合させ、取り付け螺子固定用歯車３５をシャーシ１の上面に締め付ける。これにより、取り付け螺子３３は固定される。次に、図１２（Ｄ）に示したように、レール高さ固定用治具３８の先端の突起３８ａをシャーシ１の係合孔３９に差し込み、レール高さ固定用治具３８の歯車３８ｂとレール高さ固定用歯車３４とを互いに噛合させ、レール高さ固定用歯車３４を螺子受け３２の下面に締め付ける。これにより、レール高さは固定される。かくして、図１２（Ｅ）に示したように、螺子受け３２が一体成型された案内レール５は、レール端をシャーシ１から所定の高さに固定されて取り付けられる。
【００１６】
このように、上記光ピックアップ送り機構３１は、案内レール５をシャーシ１上面から離間させた状態でシャーシ１上面に平行に保持することができ、これによりシャーシ精度に依存しない光ピックアップ送り機構を構成することができ、取り付け螺子３３を螺子込む際に、真上から案内レール５を螺子で締め付け、取り付け螺子３３の頭部３３ａの高さをもってレール高さを規制するため、案内レール５を左右に曲げる力が発生することはなく、案内レール５を簡単かつ確実にしかも精度よくシャーシ１上に固定することができる。
【００１７】
また、レール高さ固定用歯車３４と取り付け螺子固定用歯車３５とを螺子山中程の適当な位置に取り付けた状態で取り付け螺子３３を案内レール５の螺子受け３２に挿通し、案内レール５を下から上に押し上げながら、レール高さが決まった段階で、螺合位置が自由に変えられるようになっている状態のレール高さ固定用歯車３４と取り付け螺子固定用歯車３５のうち、まず取り付け螺子固定用歯車３５を専用治具によりシャーシ１上面に当接するまで螺子込み、取り付け螺子３３をシャーシ１に対して緩み止めし、次にレール高さ固定用歯車３４を専用治具により螺子受け３２下面に当接するまで螺子込んでレール高さを調整することで、案内レール５のレール端を所望の高さに調整し、その調整状態をしっかりと維持することができる。
【００１８】
さらにまた、レール高さ固定用歯車３４と取り付け螺子固定用歯車３５は、外径が互いに異なっており、レール高さ固定用治具３８と取り付け螺子固定用治具３７は、ほぼ同じ軸位置に装着される軸部材３８ｃ，３７ｃと、軸部材３８ｃ，３７ｃに固定され、それぞれ対応する歯車３４，３５に噛合する互いに径が異なる歯車３８ｂ，３７ｂを具備するため、レール高さが決まった段階で、取り付け螺子固定治具３７の歯車３７ｂを用いて取り付け螺子固定用歯車３７がシャーシ１上面に当接係止される位置まで螺子込み、続いてレール高さ固定用治具３８の歯車３８ｂを用いてレール高さ固定用歯車３５が螺子受け３２下面に当接係止される位置まで螺子込ことができ、いずれの調整も専用治具３７，３８をほぼ同じ軸位置に装着して行うことができるため、調整に必要な空間を最小限にコンパクト化することができる。
【００１９】
【発明の効果】
以上説明した通り、本発明によれば、機構ベースとなるシャーシと、該シャーシ上に支持され、光ピックアップを光ディスク１０の径方向に搬送案内する案内レールと、該案内レールの端部近傍に形成した螺子受けと、該螺子受けを頭部が係止する状態で挿通し、前記シャーシに螺入長調整自在に螺合され、前記頭部の高さ位置をもって前記案内レールのシャーシに対する高さを調整する取り付け螺子とを具備するため、案内レールをシャーシ上面から離間させた状態でシャーシ上面に平行に保持することができ、これによりシャーシ精度に依存しない光ピックアップ送り機構を構成することができ、取り付け螺子を螺子込む際に、真上から案内レールを螺子で締め付け、取り付け螺子の頭部の高さをもってレール高さを規制するため、案内レールを左右に曲げる力が発生することはなく、案内レールを簡単かつ確実にしかも精度よくシャーシ上に固定することができる等の優れた効果を有する。
【００２０】
また、本発明は、前記螺子受けと前記シャーシとの間で前記取り付け螺子に螺合し、レール高さ固定用治具に噛合させて該螺子受け下面に当接するまで螺子込み、レール高さを固定するレール高さ固定用歯車と、前記螺子受けと前記シャーシとの間で前記取り付け螺子に螺合し、取り付け螺子固定用治具に噛合させて該シャーシ上面に当接するまで螺子込み、前記取り付け螺子をシャーシに対して緩み止めする取り付け螺子固定用歯車とをさらに具備するため、レール高さ固定用歯車と取り付け螺子固定用歯車とを螺子山中程の適当な位置に取り付けた状態で取り付け螺子を案内レールの螺子受けに挿通し、案内レールを下から上に押し上げながら、レール高さが決まった段階で、螺合位置が自由に変えられるようになっている状態のレール高さ固定用歯車と取り付け螺子固定用歯車のうち、まず取り付け螺子固定用歯車を専用治具によりシャーシ上面に当接するまで螺子込み、取り付け螺子をシャーシに対して緩み止めし、次にレール高さ固定用歯車を専用治具により螺子受け下面に当接するまで螺子込んでレール高さを調整することで、案内レールのレール端を所望の高さに調整し、その調整状態をしっかりと維持することができる等の優れた効果を奏する。
【００２１】
さらにまた、本発明は、レール高さ固定用歯車と取り付け螺子固定用歯車は、外径が互いに異なっており、前記レール高さ固定用治具と取り付け螺子固定用治具は、ほぼ同じ軸位置に装着される軸部材と、該軸部材に固定され、それぞれ対応する前記歯車に噛合する互いに径が異なる歯車とを具備するため、レール高さが決まった段階で、取り付け螺子固定用治具の歯車を用いて取り付け螺子固定用歯車がシャーシ上面に当接係止される位置まで螺子込み、続いてレール高さ固定用治具の歯車を用いてレール高さ固定用歯車が螺子受け下面に当接係止される位置まで螺子込むことができ、いずれの調整も専用治具をほぼ同じ軸位置に装着して行うことができるため、調整に必要な空間を最小限にコンパクト化できる等の優れた効果を奏する。
【図面の簡単な説明】
【図１】 本発明の光ピックアップ送り機構の一実施形態を示す要部拡大平面図である。
【図２】 図１に示した案内レール支持部分の縦断面図である。
【図３】 図１に示した案内レール支持部分の側面図である。
【図４】 図３に示した案内レール支持部分を分解して示す側面図である。
【図５】 図４に示した歯車の平面図及び断面図である。
【図６】 図４に示した歯車の平面図及び断面図である。
【図７】 図４に示した案内レールの平面図及び断面図である。
【図８】 図４に示したシャーシ部分の平面図及び断面図である。
【図９】 レール支持用治具の側面図及び縦断面図である。
【図１０】 レール高さ固定用治具の横断面図及び縦断面図である。
【図１１】 取り付け螺子固定用治具の横断面図及び縦断面図である。
【図１２】 案内レール支持部分の組立工程を示す工程図である。
【図１３】 従来の光ピックアップ送り機構の一例を示す平面図である。
【図１４】 図１３に示した光ピックアップ機構の底面図である。
【図１５】 図１４に示した光ピックアップ送り機構の一部拡大底面図である。
【図１６】 図１５に示した案内レール支持部分の縦断面図である。
【図１７】 従来の光ピックアップ機構の他の一例を示す底面図である。
【図１８】 図１７に示した光ピックアップ機構の側面図である。
【図１９】 図１８に示したレール支持部分の拡大縦断面図である。
【符号の説明】
１  シャーシ
４  光ピックアップ
５  案内レール
１０  光ディスク
３１  光ピックアップ送り機構
３２  螺子受け
３３  取り付け螺子
３３ａ  頭部
３４  レール高さ固定用歯車
３５  取り付け螺子固定用歯車
３７  取り付け螺子固定用治具
３８  レール高さ固定用治具
３７ｃ，３８ｃ  軸部材
【図１】
0003809705.tif 000002
【図２】
0003809705.tif 000003
【図３】
0003809705.tif 000004
【図４】
0003809705.tif 000005
【図５】
0003809705.tif 000006
【図６】
0003809705.tif 000007
【図７】
0003809705.tif 000008
【図８】
0003809705.tif 000009
【図９】
0003809705.tif 000010
【図１０】
0003809705.tif 000011
【図１１】
0003809705.tif 000012
【図１２】
0003809705.tif 000013
【図１３】
0003809705.tif 000014
【図１４】
0003809705.tif 000015
【図１５】
0003809705.tif 000016
【図１６】
0003809705.tif 000017
【図１７】
0003809705.tif 000018
【図１８】
0003809705.tif 000019
【図１９】
0003809705.tif 000020